(57)【要約】【課題】容器６に被嵌・装着されるキャップ本体２と，これにヒンジ４，５を介して連結される蓋体３とから成るヒンジキャップ１において，このヒンジキャップを，前記容器から分別することを容易にする。【解決手段】前記キャップ本体２のうち容器に被嵌する外筒体８には，その円周方向に延びる周弱化線２４，２５を設けることに加えて，当該外筒体のうち前記ヒンジの左右両側に隣接する部分に前記周弱化線から外筒体の下端にまで延びる縦弱化線２２，２３を設けて，前記外筒体のうち前記ヒンジと反対側において前記周弱化線と両縦弱化線とで囲まれた部分を，前記外筒体から切り取り分離できる分別片２６に構成し，この分別片のうち前記ヒンジ側の両端に，摘まみ片２７を設ける。【選択図】図１
2013086812.tif 000002
【特許請求の範囲】
【請求項１】
容器における口部に被嵌して装着されるキャップ本体と，このキャップ本体における注ぎ口を開閉する蓋体とを備え，前記蓋体を，前記キャップ本体の側面にヒンジを介して開閉自在に連結して成るヒンジキャップにおいて，
前記キャップ本体のうち容器における口部に被嵌される外筒体には，その円周方向に延びる周弱化線を設けることに加えて，当該外筒体のうち前記ヒンジの左右両側に隣接する部分に前記周弱化線から外筒体の下端にまで延びる縦弱化線を設けて，前記外筒体のうち前記ヒンジと反対側において前記周弱化線と両縦弱化線とで囲まれた部分を，前記外筒体から切り取り分離できる分別片に構成し，この分別片のうち前記ヒンジ側の両端に，摘まみ片を設けることを特徴とするヒンジキャップの構造。
【請求項２】
前記請求項１の記載において，前記左右の両摘まみ片は，平面視で，前記外筒体の外周面より半径方向の外側に離間した位置にあって，前記外筒体における外周の円弧面に沿って前記ヒンジに向かって延びる円弧状の形状であることを特徴とするヒンジキャップの構造。
【請求項３】
前記請求項２の記載において，前記キャップ体のうち前記ヒンジと反対側の部位には，前記蓋体に設けたタブと係合して不正開封を防止するように構成した係合片が，前記ヒンジと反対側の部位に破断可能な状態で設けられている一方，前記左右の両摘まみ片を，平面視で，前記ヒンジと前記不正開封防止用の係合片との間の部位に配設したことを特徴とするヒンジキャップの構造。
【発明の詳細な説明】
【技術分野】
【０００１】
本発明は，容器の口部に装着して使用されるヒンジ式のキャップの構造に関するものである。
【背景技術】
【０００２】
一般に，この種のヒンジ式のキャップは，特許文献１及び２等に記載されているように，瓶等の容器における口部に被嵌して装着されるキャップ本体と，このキャップ本体における注ぎ口を開閉する蓋体とから成り，この蓋体を，前記キャップ本体の側面にヒンジを介して開閉自在に一体に連結するという構成である。
【０００３】
この場合，前記各特許文献は，前記キャップ本体のうち容器の口部に被嵌する外筒体における少なくとも裾の部分を，円周方向に延びる弱化線及び縦方向に延びる弱化線に沿って切り破ることによって，前記ヒンジキャップの容器からの分別（切り離し）を可能にするという構成にしている。
【０００４】
また，特許文献２に記載されているヒンジキャップは，前記蓋体のうち前記ヒンジと反対側の部分に，指掛け用のタブを設ける一方，前記キャップ本体に，前記蓋体のタブを上向き動不能に保持する不正開封防止用の係合片が破断可能な状態で一体に設けて，この係合片をキャップ本体から切り離し分離することによって，前記蓋体を開けることができ，これによって不正開封を防止するという形式に構成にしている。
【先行技術文献】
【特許文献】
【０００５】
【特許文献１】実開平０５−０３４１５１号公報
【特許文献２】特開２００５−０９６８２６号公報
【発明の概要】
【発明が解決しようとする課題】
【０００６】
特許文献１，２に記載のヒンジキャップにおいては，前記したように，キャップ本体のうち外筒体における裾の部分を切り破ることによって，容器から分別（切り離し）するという構成にしているものの，前記外筒体における裾の部分の切り破ることに指先を引っ掛けるための手がかりが存在しないので，前記外筒体を切り破っての容器からの分別が著しく困難で，指先を負傷したり，分別不能を招来したりするおそれがあった。
【０００７】
特に，特許文献１に記載の形式のヒンジキャップにおいては，キャップ本体のうち外筒体における裾の部分を切り破るための縦弱化線を，キャップ本体に対して蓋体を連結するためのヒンジの箇所に位置しているので，前記ヒンジの部分に千切れ等が発生するという問題があった。
【０００８】
本発明は，これらの問題を解消したヒンジキャップの構造を提供することを技術的課題としている。
【課題を解決するための手段】
【０００９】
この技術的課題を達成するため本発明の請求項１は，
「容器における口部に被嵌して装着されるキャップ本体と，このキャップ本体における注ぎ口を開閉する蓋体とを備え，前記蓋体を，前記キャップ本体の側面にヒンジを介して開閉自在に連結して成るヒンジキャップにおいて，
前記キャップ本体のうち容器における口部に被嵌される外筒体には，その円周方向に延びる周弱化線を設けることに加えて，当該外筒体のうち前記ヒンジの左右両側に隣接する部分に前記周弱化線から外筒体の下端にまで延びる縦弱化線を設けて，前記外筒体のうち前記ヒンジと反対側において前記周弱化線と両縦弱化線とで囲まれた部分を，前記外筒体から切り取り分離できる分別片に構成し，この分別片のうち前記ヒンジ側の両端に，摘まみ片を設ける。」
ことを特徴としている。
【００１０】
請求項２は，
「前記請求項１の記載において，前記左右の両摘まみ片は，平面視で，前記外筒体の外周面より半径方向の外側に離間した位置にあって，前記外筒体における外周の円弧面に沿って前記ヒンジに向かって延びる円弧状の形状である。」
ことを特徴としている。
【００１１】
請求項３は，
「前記請求項２の記載において，前記キャップ体のうち前記ヒンジと反対側の部位には，前記蓋体に設けたタブと係合して不正開封を防止するように構成した係合片が，前記ヒンジと反対側の部位に破断可能な状態で設けられている一方，前記左右の両摘まみ片を，平面視で，前記ヒンジと前記不正開封防止用の係合片との間の部位に配設した。」
ことを特徴としている。
【発明の効果】
【００１２】
請求項１の記載において，左右の両摘まみ片のうち少なくとも一方の摘まみ片を指先で摘んで引っ張ると，キャップ本体における嵌合筒体のうち分別片は，当該分別片を囲み形成する周弱化線及び縦弱化線に沿って裂け破れて，前記外筒体から切り取り分離されることになるから，ヒンジキャップの全体を，容器から至極容易に分別（取り外す）することができ，この分別の際に，指先を負傷したり，分別不能を招来したりするのを確実に低減できる。
【００１３】
また，前記分別片を形成するための縦弱化線は，前記ヒンジの左右両側に隣接する部分に設けられていることにより，前記ヒンジに千切れが発生するおそれを回避することができるし，前記分別片に対する摘まみ片は，左右両側に設けられていることにより，その一方の摘まみ片が千切れたとしても，他方の摘まみ片によって確実に分別することができる。
【００１４】
また，請求項２によると，前記左右の両摘まみ片が，平面視で円弧状の形状であるために，ヒンジキャップとして使用中においてこれに他物が引っ掛かることを低減できるものでありながら，外筒体よりも半径方向に離間していることにより，これを指先で摘まみ易くて，容器からの分別がより容易にできる利点がある。
【００１５】
ところで，ヒンジキャップは，そのキャップ本体に対して蓋体を閉じた状態にして，容器に対して被嵌・装着されるもので，この装着に際しては，前記ヒンジキャップを，レールに沿って一列に並べて搬送し，この先端のものから容器に一個ずつ装着するという方法が採用されている。
【００１６】
この場合，前記ヒンジキャップが，その蓋体のうちヒンジと反対側の部位に不正開封防止用の係合片が設けられている形式のときには，このヒンジキャップのレールによる一列搬送に際しては，前記不正開封防止用の係合片を，平面視において，一定の方向に向けた状態で，且つ，横方向へのずれ動きが少ないように，芯を揃えた状態に保持する必要がある。
【００１７】
これに対して，請求項３に構成することを提案するものであり，平面視で円弧状にした摘まみ片が左右の両側に対象に位置していることにより，ヒンジキャップをレールに沿って一列状に移送するに際し，前記左右の両摘まみ片がガイドの作用を行なうから，平面視において，不正開封防止用の係合片を一定の方向に向け，且つ，横方向へのずれ動が少ないように，芯を揃えた状態に確実に保持できる利点がある。
【図面の簡単な説明】
【００１８】
【図１】実施の形態によるヒンジキャップの縦断正面図である。
【図２】図１の平面図である。
【図３】図１の底面図である。
【図４】図２のIV−IV視拡大断面図である。
【図５】図２及び図３のＶ−Ｖ視拡大断面図である。
【図６】図２及び図３のVI−VI視拡大断面図である。
【図７】図１，図５及び図６のVII −VII 視平断面図である。
【図８】実施の形態によるヒンジキャップを容器に対して装着した状態を示す縦断正面図である。
【図９】ヒンジキャップの正面図である。
【図１０】図９の左側面図である。
【図１１】図９の平面図である。
【図１２】不正開封防止用の係合片を切り離した状態を示す図である。
【図１３】分別している状態を示す図である。
【発明を実施するための形態】
【００１９】
以下，本発明の実施の形態を，図面について説明する。
【００２０】
これらの図において，符号１は，本発明の実施の形態による合成樹脂製のヒンジキャップを示し，このヒンジ式キャップ１は，キャップ本体２と，蓋体３とからなっており，これらの両者は，１本のセンターヒンジ４と，その左右両側に配設した２本のサイドヒンジ５を介して屈曲自在に一体に繋がっている。
【００２１】
前記左右のサイドヒンジ５は，図４に示すように，表裏両面に複数本の凹み溝５ａ，５ｂを備えた蛇腹状又はＭ型状であり，前記センターヒンジ４を補強することに加えて，前記蓋体３をキャップ本体２から開いたとき，この開いた状態を保持するという構成である。
【００２２】
前記キャップ本体２は，容器６における口部７に外側から被嵌して装着される外筒体８と、前記容器６における口部７に内側から嵌まる内筒体９と，これら外筒体８及び内筒体９が下向きに一体に突出する頂板１０とを備えており，前記外筒体８は，その下端における内周に設けた突起条１１を，前記容器６の口部７における環状溝１２に嵌まり係合することにより，前記容器６の口部７から容易に外れないように構成されている。
【００２３】
一方，前記キャップ本体２における頂板１０の上面には，注ぎ口１３と，この注ぎ口１３の内部を塞ぐ閉鎖板１４とを一体に備えている。
【００２４】
これに加えて，前記頂板１０の上面には，リング部１５が，前記注ぎ口１３の外側を囲うように一体に設けられ，このリング部１５に対して前記蓋体３を着脱自在に被せ装着するように構成している。
【００２５】
前記注ぎ口１３に対する閉鎖板１４には，ループ状のスコアー（薄肉部）１６が形成されており，このスコアー１６で囲われた部分の端部にプルリング（プルタブ）１７を一体に設けている。いうまでもないが，プリリング１７を引っ張ってスコアー１６の箇所を引き千切ることにより，内容物（液体）を注ぎ出すことができる。
【００２６】
前記蓋体３は，図８に示すように，前記キャップ本体２に被せるように閉じた状態において，前記リング部１５に対して被さり，この被せた状態に着脱自在に係合するように構成されており，その内側には，前記注ぎ口１３に内側から嵌合する筒型の中足１８を一体に設けているほか，この蓋体３のうち前記ヒンジ４，５と反対側に位置した自由端部には，指掛け用のタブ１９を一体に設けている。また，このタブ１９の下面には指の引っ掛かりを良くするためのリブを形成している。
【００２７】
前記キャップ本体２における外筒体８のうち前記ヒンジ４，５と反対側の部位には，前記蓋体３におけるタブ１９の外側を囲う不正開封防止用の係合片２０が一体に形成されている。
【００２８】
この係合片２０は，前記タブ１９を上から覆う上カバー（水平部）２０ａと，この上カバー２０ａの外周縁に連続した下向きに突出した囲い壁２０ｂとを備えている。
【００２９】
前記上カバー２０ａと囲い壁２０ｂとは円周方向に延びており，上カバー２０ａはタブ１９を完全に覆う左右長さであり，かつ，上カバー２０ａでタブ１９の付け根まで覆っている。従って，人が上カバー２０ａの後端面に指や爪を掛けることはできない。前記タブ１９の上面には，内向き先端面に向けて下向き傾斜する傾斜ガイド面１９ａが形成されている。従って，前記蓋体３を閉蓋状態にセットするにおいて，前記タブ１９は上カバー２０ａの下方にスムースに誘い込まれる。
【００３０】
一方，前記係合片２０における囲い壁２０ｂの両端は，上カバー２０ａの左右端よりも左右外側にはみ出している。すなわち，この囲い壁２０ｂは上カバー２０ａの左右外側に突出した張り出し部２０ｂ′を有している。この場合，張り出し部２０ｂ′は，前記キャップ本体２における外筒体８の外周面に，引き千切ることが可能に構成したブリッジ部２１を介して一体に繋がっている。
【００３１】
すなわち，前記不正開封防止用の係合片２０は，その両端の張り出し部２０ｂ′の各々が前記ブリッジ部２１を介してキャップ本体２に一体に繋がっており，当然のことながら，前記張り出し部２０ｂ′のうち一方又は両方に指先を掛けて引っ張ることにより，前記ブリッジ部２１が千切れて，図９に示すように，前記係合片２０がキャップ本体２から外れる，これによって，前記蓋体３が開くことが可能になるという構成にしている。
【００３２】
次に，キャップ本体２における外筒体８のうち前記ヒンジ４，５の左右両側に近接する部分には，内周面を下向きの軸線方向に延びる二本の第１の縦弱化線２２と，外周面を下向きの軸線方向に延びる二本の第２の縦弱化線２３とを設けており，前記第１及び第２の縦弱化線２２，２３は，そのいずれも，断面が角溝型で，外筒体８における下端縁にまで延びる構成であり，特に，内周面における第１の縦弱化線２２は，図６に示すように，当該内周面に設けられている突起条１１を横断しており，この第１の縦弱化線２２の外側に，前記第２の縦弱化線２３が近接して位置していて，この間において前記外筒体８が裂け破れるという構成にしている。
【００３３】
前記外筒体８の内周面のうち前記ヒンジ４，５と反対側の部分には，円周方向に延びて前記第１の縦弱化線２２に到達する構成にした第１の周弱化線２４を設け，更に，前記キャップ本体２の頂板１０における上面のうち前記ヒンジ４，５とは反対側の部分に円周方向に延びるように溝型に構成した第２の周弱化線２５を設けており，この第２の周弱化線２５の底面が，前記第１の周弱化線２４に近接して，この間において前記外筒体８が裂け破れるという構成にしている。
【００３４】
これらにより，前記外筒体８のうち前記ヒンジ４，５と反対側において前記第１・第２の縦弱化線２２，２３と，前記第１・第２の周弱化線２４，２５とで囲まれた部分を，前記外筒体８から前記各縦弱化線２２，２３及び前記各周弱化線２４，２５を沿って切り破りながら分離することができる分別片２６に構成している。
【００３５】
なお，図示においては，前記第１の周弱線２４を，前記外筒体８の内周面の全周を巡る構成にしているが，この第１の周弱線２４は，前記外筒体８の内周面のうち前記第１の両縦弱化線２２の相互間のみを連絡する構成にすることができる。また，前記第２の周弱化線５は，頂板１０の上面に設けることに代えて，前記外筒体８のうち前記頂板１０に対する付け根部に設ける構成にできる。
【００３６】
そして，前記キャップ本体２の外筒体８における左右両側のうち，前記ヒンジ４，５と前記係合片２０との間の部分に，平面視において，前記外筒体８の外周面より半径方向の外側に離間した位置で円弧状に延びる形状にした摘まみ片２７を配設して，この両摘まみ片２７のうち前記係合片２０側の部分を，前記分別片２６の両端に一体に連結する一方，前記両摘まみ片２７のうち前記ヒンジ４，５側の部分を，前記第２の縦弱化線２３を越えて前記ヒンジ４，５に向かって円弧に延びる自由端部２７ａに構成する。
【００３７】
この構成において，左右の両摘まみ片２７のうち少なくとも一方の摘まみ片２７を指先で摘んで引っ張ると，キャップ本体２における外筒体８のうち分別片２６の部分は，当該分別片２６を囲み形成する第１・第２の縦弱化線２２，２３及び第１・第２の周弱化線２４，２５に沿って裂け破れて，図１０に示すように，前記外筒体８から切り取り分離されることになるから，ヒンジ式キャップ１の全体を，容器６から至極容易に分別（取り外す）することができる。
【００３８】
この場合，前記分別片２６を形成するための縦弱化線２２，２３は，前記ヒンジ４，５の左右両側に隣接する部分に設けられていることにより，前記ヒンジ４，５に千切れが発生するおそれを回避することができるし，この分別片２６に対する両摘まみ片２７は，左右両側に設けられていることにより，その一方の摘まみ片２７が千切れたとしても，他方の摘まみ片２７によって確実に分別することができる。
【００３９】
この場合において，前記分別片２６の外筒体８からの切り取り分離を更に容易にできるようにするためには，前記縦弱化線２２，２３を，図９に二点鎖線Ｈで示すように，前記周弱化線２４，２５に対して鋭角に傾斜するという構成にしたり，これに加えて，又は，これに代えて，前記縦弱化線２２，２３と前記周弱化線２４，２５とが交わる箇所に貫通孔２９を設けるという構成にできる。
【００４０】
また，前記実施の形態によると，左右の両摘まみ片２７が，平面視で円弧状の形状であるために，ヒンジキャップ１として使用中においてこれに他物が引っ掛かることを低減できるものでありながら，外筒体８よりも半径方向に離間していることにより，これを指先で摘まみ易くて，容器６からの分別がより容易にできる。
【００４１】
更にまた，前記ヒンジキャップ１が，その蓋体３のうちヒンジ４，５と反対側の部位に不正開封防止用の係合片２０を備えている形式のときには，このヒンジキャップ１をレールに沿って一列に移送するに際しては，前記したように，平面視で円弧状にした摘まみ片２７が左右の両側に対象に位置していることにより，前記左右の両摘まみ片２７がガイドの作用を行なうから，平面視において，不正開封防止用の係合片２０を一定の方向に向け，且つ，横方向へずれ動かない状態に確実に保持できる。
【００４２】
なお，前記左右の両摘まみ片２７おうち少なくとも先端の部分は，図２，図３，図６及び図７に二点鎖線で記載したように，キャップ本体２から下向きに延びるカバー片２８の内側に位置しており，これにより，前記両摘まみ片２７に指先等が不測に引っ掛かることを確実に回避できる。
【符号の説明】
【００４３】
１                ヒンジキャップ
２                キャップ本体
３                蓋体
４，５            ヒンジ
６                容器                                                          ８                キャップ本体の外筒体
９                キャップ本体の内筒体
１９              不体のタブ
２０              不正開封防止用係合片
２２，２３        縦弱化線
２４，２５        周弱化線
２６              分別片
２７              摘まみ片
【図１】
2013086812.tif 000003
【図２】
2013086812.tif 000004
【図３】
2013086812.tif 000005
【図４】
2013086812.tif 000006
【図５】
2013086812.tif 000007
【図６】
2013086812.tif 000008
【図７】
2013086812.tif 000009
【図８】
2013086812.tif 000010
【図９】
2013086812.tif 000011
【図１０】
2013086812.tif 000012
【図１１】
2013086812.tif 000013
【図１２】
2013086812.tif 000014
【図１３】
2013086812.tif 000015